(57)【特許請求の範囲】
【請求項１】
屋外から屋内に至る空気の流れを発生させる送風ファンと、
前記送風ファンの風上側に配置され、空気中の粉塵を帯電させる荷電部と、
前記送風ファンの風上側且つ前記荷電部の風下側に配置され、帯電した粉塵を捕集する集塵部と、
屋外の空気中の粉塵濃度及び水分量に基づいて前記荷電部への電圧の印加を開始又は停止させる制御部と、
を備え、
前記制御部は、屋外の空気中の粉塵濃度が予め設定された第１閾値以上であり、且つ屋外の空気中の水分量が予め設定された第２閾値以上である場合に、前記荷電部への電圧の印加を停止させることを特徴とする換気装置。
【請求項２】
前記制御部は、屋外の空気中の粉塵濃度が予め設定された第１閾値未満である場合に前記荷電部への電圧の印加を停止させることを特徴とする請求項１に記載の換気装置。
【請求項３】
前記制御部は、屋外の空気中の粉塵濃度が予め設定された第１閾値以上であり、且つ屋外の空気中の水分量が予め設定された第２閾値未満である場合に、前記荷電部への電圧の印加を開始させることを特徴とする請求項１又は２に記載の換気装置。
【請求項４】
前記荷電部は、複数設けられ、
前記制御部は、屋外の空気中の粉塵濃度及び水分量に基づいて、電圧を印加する前記荷電部の個数を変化させることを特徴とする請求項１から３のいずれか１項に記載の換気装置。
【請求項５】
前記荷電部の風上側に配置され、空気中の粉塵濃度を検出する埃センサーと、
前記荷電部の風上側に配置され、空気中の湿度を検出する湿度センサーと、
を備え、
前記制御部は、前記埃センサーによる検出結果及び前記湿度センサーによる検出結果に基づいて前記荷電部への電圧の印加を開始又は停止させることを特徴とする請求項１から４のいずれか１項に記載の換気装置。
【請求項６】
屋内に設置され、内部に前記荷電部及び前記集塵部が設けられた本体と、
一端が前記本体に接続された屋外側中間ダクトと、
屋内から屋外に通じる開口に取り付けられ、前記屋外側中間ダクトの他端が接続された吸込口形成部材と、
を備え、
前記埃センサー及び前記湿度センサーは、前記吸込口形成部材又は前記屋外側中間ダクトに取り付けられたことを特徴とする請求項５に記載の換気装置。
【請求項７】
前記埃センサーは、空気中の粉塵の形状及び濃度を検出し、
前記制御部は、空気中の粉塵の形状及び濃度に基づいて前記荷電部への電圧の印加を開始又は停止させることを特徴とする請求項５又は６に記載の換気装置。
【請求項８】
請求項１から７のいずれか１項に記載の換気装置であり、第１の部屋に設けられた第１換気装置と、
前記換気装置であり、第２の部屋に設けられた第２換気装置と、
を備え、
前記第２換気装置の前記制御部は、前記第１換気装置の前記制御部が前記第１換気装置の前記荷電部への電圧の印加を開始又は停止させる際に、連動して前記第２換気装置の前記荷電部への電圧の印加を開始または停止させることを特徴とする換気システム。
【発明の詳細な説明】
【技術分野】
【０００１】
本発明は、換気装置及び換気システムに関するものである。
【背景技術】
【０００２】
下記特許文献１には、屋外から屋内に空気を取り入れるための風路と、粉塵を帯電させる荷電部と、帯電した粉塵を捕集する集塵部と、を備えた空気調和機が記載されている。この空気調和機は、空気中の粉塵の量に応じて荷電部に印加する電圧を調整する。
【先行技術文献】
【特許文献】
【０００３】
【特許文献１】特開２００８−２１３７１１号公報
【発明の概要】
【発明が解決しようとする課題】
【０００４】
霧又は雨等の水分が特許文献１に記載の装置に侵入すると、電圧が印加されている荷電部で火花放電が発生することがある。この場合、不快な音及び光が発生する。また、侵入した水分量が多い場合は、荷電部の腐食が助長されることがある。
【０００５】
本発明は、上記の課題を解決するためになされた。その目的は、火花放電の発生及び荷電部の腐食を抑制できる換気装置及び換気システムを提供することである。
【課題を解決するための手段】
【０００６】
本発明に係る換気装置は、屋外から屋内に至る空気の流れを発生させる送風ファンと、送風ファンの風上側に配置され、空気中の粉塵を帯電させる荷電部と、送風ファンの風上側且つ荷電部の風下側に配置され、帯電した粉塵を捕集する集塵部と、屋外の空気中の粉塵濃度及び水分量に基づいて荷電部への電圧の印加を開始又は停止させる制御部と、を備え、制御部は、屋外の空気中の粉塵濃度が予め設定された第１閾値以上であり、且つ屋外の空気中の水分量が予め設定された第２閾値以上である場合に、荷電部への電圧の印加を停止させることを特徴とするものである。
【発明の効果】
【０００７】
本発明に係る換気装置において、制御部は、屋外の空気中の粉塵濃度及び水分量に基づいて荷電部への電圧の印加を開始又は停止させる。このため、本発明によれば、換気装置において、火花放電の発生及び荷電部の腐食を抑制することができる。
【図面の簡単な説明】
【０００８】
【図１】本発明の実施の形態１における換気装置の概略断面図である。
【図２】本発明の実施の形態１における換気装置が備える集塵装置の概略断面図である。
【図３】本発明の実施の形態１における換気装置の機能ブロック図である。
【図４】本発明の実施の形態１における換気装置の動作の一例を示すフローチャートである。
【図５】本発明の実施の形態２における換気装置が備える集塵装置の概略断面図である。
【図６】本発明の実施の形態３における換気システムを示す概略平面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における換気装置の概略断面図である。図１は、建物に設置された換気装置の垂直断面を示している。
【００１１】
図１に示すように、換気装置は、本体１、屋外側中間ダクト２及び屋内側中間ダクト３を備えている。本体１は、屋内において、建物の壁４と天井５とが接する位置の付近に配置されている。本体１は、天井５の上に設置されている。
【００１２】
壁４には、屋内から屋外に通じる開口が形成されている。壁４の開口は、天井５よりも上側の位置に形成されている。壁４の開口には、吸込口形成部材６が取り付けられている。吸込口形成部材６は、一部分が屋外に突出して設けられている。屋外側中間ダクト２の一端は、屋内から吸込口形成部材６に接続されている。屋外側中間ダクト２の他端は、本体１の一側に接続されている。本体１の内部は、屋外側中間ダクト２及び吸込口形成部材６を介して、屋外に通じている。つまり、壁４の開口及び吸込口形成部材６によって、屋外から本体１の内部に空気を取り入れるための吸込口が形成されている。
【００１３】
天井５には、天井５の上側の空間から天井５の下側の空間に通じる開口が形成されている。天井５の開口には、吹出口形成部材７が取り付けられている。屋内側中間ダクト３の一端は、本体１の他側に接続されている。屋内側中間ダクト３の他端は、天井５の上側から吹出口形成部材７に接続されている。本体１の内部は、屋内側中間ダクト３及び吹出口形成部材７を介して、屋内における天井５の下側の空間に通じている。つまり、天井５の開口及び吹出口形成部材７によって、本体１の内部から天井５の下側の空間に空気を送るための吹出口が形成されている。
【００１４】
このように、本体１の内部は、屋外及び屋内に通じている。つまり、吸込口形成部材６、屋外側中間ダクト２、本体１、屋内側中間ダクト３及び吹出口形成部材７によって、屋外から屋内に通じる空気の経路が形成されている。
【００１５】
図１に示すように、本体１の内部には、集塵装置８及び送風ファン９が設けられている。集塵装置８は、屋外側中間ダクト２の他端と屋内側中間ダクト３の一端との間に配置されている。送風ファン９は、集塵装置８と屋内側中間ダクト３の一端との間に配置されている。送風ファン９は、屋外から本体１を経て屋内に至る空気の流れを発生させる。集塵装置８は、屋外から屋内に通じる空気の経路において、送風ファン９の風上側に配置されている。送風ファン９は、屋外から屋内に通じる空気の経路において、集塵装置８の風下側に配置されている。
【００１６】
送風ファン９が駆動すると、吸込口及び屋外側中間ダクト２を介して、屋外の空気が本体１の内部に取り込まれる。本体１の内部に取り込まれた空気は、集塵装置８を通過する。集塵装置８を通過した空気は、送風ファン９を通過する。送風ファン９を通過した空気は、屋内側中間ダクト３及び吹出口を介して天井５の下側の空間に吹き出される。
【００１７】
図１に示すように、換気装置は、埃センサー１０及び湿度センサー１１を備えている。埃センサー１０及び湿度センサー１１は、例えば、吸込口形成部材６に取り付けられている。埃センサー１０及び湿度センサー１１は、例えば、吸込口形成部材６の屋外に突出した部分によって上方を覆われている。埃センサー１０は、例えば、空気中に存在する粉塵を光学的に検出する機器である。湿度センサー１１は、空気中の湿度を検出する機器である。空気中に存在する粉塵は、例えば、埃、綿ゴミ、ダニ、ＰＭ２．５及び花粉等である。
【００１８】
埃センサー１０は、例えば、１つの発光素子及び２つの受光素子を備えている。発光素子は、周囲の空間にレーザー光を照射する。発光素子から照射されたレーザー光は、空気中に存在する粉塵に当たると散乱される。受光素子は、空気中に粉塵が存在することによって生じた散乱光を受光する。受光素子は、受光した散乱光の強度及び受光した回数等に基づいた出力を行う。埃センサー１０は、２つの受光素子の出力に基づいて、空気中の粉塵濃度、粉塵個数、粉塵の大きさ及び粉塵の形状等を検出する。発光素子が照射するレーザー光の波長は、例えば、６６０ｎｍである。レーザー光の照射強度は、例えば、２．５ｍＷ以上が好適である。
【００１９】
埃センサー１０は、受光素子の出力の大きさに基づいて、粉塵濃度、粉塵個数及び粉塵の大きさを検出する。また、埃センサー１０は、２つの受光素子の出力差に基づいて、粉塵の形状を検出する。空気中に存在する粉塵の形状が球形である場合、２つの受光素子の出力差は小さい。一方、粉塵の形状が球形でない場合、２つの受光素子の出力差は大きい。
【００２０】
例えば、粉塵が粒子径２．５μｍ以下で球形のＰＭ２．５である場合、２つの受光素子の出力差は小さい。また、例えば、粉塵が花粉である場合も、２つの受光素子の出力差は小さい。つまり、空気中のＰＭ２．５濃度及び花粉濃度は、受光素子の出力の大きさのみに基づいて検出される。但し、花粉はＰＭ２．５よりも粒子径が大きいため、ＰＭ２．５による散乱光よりも花粉による散乱光の方が多くなる。このため、粉塵が花粉である場合は、粉塵がＰＭ２．５である場合よりも受光素子の出力が大きい。一方、２つの受光素子の出力差が大きい場合、粉塵は埃、綿ゴミ及びダニ等であると判定される。
【００２１】
図２は、実施の形態１における換気装置が備える集塵装置の概略断面図である。図２は、本体１の内部に設けられた集塵装置８の垂直断面を示している。
【００２２】
図２に示すように、集塵装置８は、荷電部１２及び集塵部１３を備えている。荷電部１２は、屋外から屋内に通じる空気の経路において、集塵部１３の風上側に配置されている。集塵部１３は、屋外から屋内に通じる空気の経路において、荷電部１２の風下側に配置されている。つまり、集塵装置８を通過する空気は、荷電部１２を通過した後に集塵部１３を通過する。
【００２３】
荷電部１２は、複数の放電電極１４及び複数の対向電極１５を備えている。放電電極１４及び対向電極１５は、集塵部１３に沿って交互に並んでいる。放電電極１４及び対向電極１５は、図示しない高圧電源が電気的に接続されている。高圧電源は、例えば、４〜７ｋＶの電圧を放電電極１４に印加する。対向電極１５は、接地されている。
【００２４】
放電電極１４は、要部が金属製の長尺な板状部材で形成されている。放電電極１４を形成する金属としては、例えば、タングステン、銅、ニッケル、ステンレス、亜鉛、鉄又はモリブデン等が好適である。放電電極１４は、上記金属を主成分とする合金で形成されてもよい。放電電極１４は、上記金属の表面に銀、金、白金等の貴金属をメッキしたもので形成されてもよい。
【００２５】
放電電極１４の断面は、短辺及び長辺によって周囲が囲まれた矩形形状を呈する。放電電極１４の断面の短辺の長さは、例えば、０．０１ｍｍから０．１ｍｍである。放電電極１４の断面の長辺の長さは、例えば、０．１ｍｍから１．０ｍｍである。放電電極１４は、上記のような形状に形成されることで強度が増す。放電電極１４が上記のような形状に形成されれば、放電電極１４の形状が経年によって変化することが大幅に抑制される。
【００２６】
対向電極１５は、金属製の板状部材に切断と曲げ加工とを行うことによって製作される。対向電極１５を形成する金属としては、例えば、タングステン、銅、ニッケル、ステンレス、亜鉛、鉄又はモリブデン等が好適である。放電電極１４は、上記金属を主成分とする合金で形成されてもよい。放電電極１４は、上記金属の表面に銀、金、白金等の貴金属をメッキしたもので形成されてもよい。
【００２７】
対向電極１５は、金属板から製作されることで、樹脂成形によって製作される場合と比較して、より精密に形成される。また、対向電極１５が金属板から製作されれば、対向電極１５の形状が経年によって変化することが大幅に抑制される。
【００２８】
集塵部１３は、例えば、フィルタ形状を呈する。集塵部１３は、例えば、電荷を帯びたエレクトレットフィルタで形成されている。集塵部１３は、例えば、エレクトレットのろ材を山折のプリーツ形状、コルゲート形状又はハニカム形状等にしたものである。また、集塵部１３は、フィルタ形状のものでなく、例えば、平行平板状の金属又は樹脂を積層したものでもよい。
【００２９】
集塵装置８を通過する空気は、荷電部１２において、放電電極１４と対向電極１５との間の空間を通過する。このとき、高圧電源によって放電電極１４に電圧が印加されていれば、荷電部１２は、空気中の粉塵を帯電させる。帯電した粉塵は、集塵部１３に捕集される。このようにして、集塵装置８は、空気中の粉塵を除去する。
【００３０】
図３は、実施の形態１における換気装置の機能ブロック図である。図３に示すように、換気装置は、制御部１６を備えている。制御部１６は、例えば、本体１の内部に設けられている。制御部１６は、埃センサー１０及び湿度センサー１１の検出結果に基づいて、集塵装置８の動作を制御する。具体的には、制御部１６は、高圧電源から荷電部１２への電圧の印加を開始又は停止させる。
【００３１】
図４は、実施の形態１における換気装置の動作の一例を示すフローチャートである。以下、図４を参照して、換気装置の動作を説明する。
【００３２】
換気装置の運転が開始されると、送風ファン９が駆動するとともに（ステップＳ１０１）、埃センサー１０及び湿度センサー１１による検出動作が開始される。埃センサー１０は、屋外の空気中の粉塵濃度を検出する。湿度センサー１１は、屋外の空気中の水分量として湿度を検出する。
【００３３】
制御部１６は、屋外の粉塵濃度が第１閾値以上であるか否かを判定する（ステップＳ１０２）。第１閾値は、粉塵濃度が高いか低いかの基準として予め設定された値である。第１閾値としては、例えば、大気中のＰＭ２．５基準値である３５μｇ／ｍ３等の値が設定される。ステップＳ１０２において、屋外の粉塵濃度が第１閾値以上であると判定された場合、制御部１６は、屋外の湿度が第２閾値以上であるか否かを判定する（ステップＳ１０３）。第２閾値は、湿度が高いか低いかの基準として予め設定された値である。例えば、第２閾値として、相対湿度９０％が設定される。ステップＳ１０３において、屋外の湿度が第２閾値未満であると判定された場合、制御部１６は、高圧電源から集塵装置８の荷電部１２への電圧の印加を開始させる（ステップＳ１０４）。ステップＳ１０４の動作の後は、換気装置は、ステップＳ１０２の動作を行う。
【００３４】
ステップＳ１０２において、屋外の粉塵濃度が第１閾値未満であると判定された場合、換気装置は、ステップＳ１０５の動作を行う。また、ステップＳ１０３において、屋外の湿度が第２閾値以上であると判定された場合、換気装置は、ステップＳ１０５の動作を行う。ステップＳ１０５において、制御部１６は、高圧電源から集塵装置８の荷電部１２への電圧の印加を停止させる。ステップＳ１０５の動作の後は、換気装置は、ステップＳ１０２の動作を行う。
【００３５】
実施の形態１において、荷電部１２は、送風ファン９の風上側に配置され、空気中の粉塵を帯電させる。集塵部１３は、送風ファン９の風上側且つ荷電部１２の風下側に配置され、帯電した粉塵を捕集する。埃センサー１０及び湿度センサー１１は、荷電部１２の風上側に配置されている。制御部１６は、埃センサー１０により検出された屋外の空気中の粉塵濃度及び湿度センサー１１により検出された屋外の空気中の水分量に基づいて、荷電部１２への電圧の印加を開始又は停止させる。このため、例えば、霧の発生及び降雨等により空気中の水分量が多い場合に、荷電部１２に電圧を印加せずに換気装置を運転することが可能である。この場合、荷電部１２への電圧の印加が停止されるため、火花放電の発生及び荷電部１２の腐食等を抑制できる。また、放電電極１４の寿命を延長できる。その結果、換気装置のメンテナンス間隔を延長することができる。さらに、集塵部１３の圧力損失の増加を抑制できる。その結果、集塵部１３のメンテナンス間隔も延長可能となり、ユーザーの使い勝手を向上させることができる。
【００３６】
実施の形態１において、制御部１６は、屋外の空気中の粉塵濃度が予め設定された第１閾値未満である場合に、荷電部１２への電圧の印加を停止させる。つまり、換気装置は、例えば、屋外の粉塵濃度が低い場合には、粉塵を帯電させることなく、屋外の空気をそのまま屋内に取り入れる。この場合、荷電部１２への電圧の印加が停止されるため、荷電部１２への汚れ付着及び腐食等を抑制できる。また、放電電極１４の寿命を延長できる。その結果、換気装置のメンテナンス間隔を延長することができる。さらに、集塵部１３の圧力損失の増加を抑制できる。その結果、集塵部１３のメンテナンス間隔も延長可能となり、ユーザーの使い勝手を向上させることができる。
【００３７】
実施の形態１において、制御部１６は、屋外の空気中の粉塵濃度が予め設定された第１閾値以上であり、且つ屋外の空気中の水分量が予め設定された第２閾値未満である場合に、荷電部１２への電圧の印加を開始させる。つまり、換気装置は、例えば、屋外の粉塵濃度が高く且つ水分量が少ない場合は、粉塵を帯電させて捕集する。その結果、換気装置において、粉塵濃度に応じて必要な集塵効率を得ることができる。
【００３８】
実施の形態１において、制御部１６は、屋外の空気中の粉塵濃度が予め設定された第１閾値以上であり、且つ屋外の空気中の水分量が予め設定された第２閾値以上である場合に、荷電部１２への電圧の印加を停止させる。つまり、換気装置は、例えば、屋外の粉塵濃度が高いとしても、霧の発生及び降雨等により空気中の水分量が多い場合は、荷電部１２に電圧を印加しない。この場合、荷電部１２への電圧の印加が停止されるため、火花放電の発生及び荷電部１２の腐食等を抑制できる。また、放電電極１４の寿命を延長できる。その結果、換気装置のメンテナンス間隔を延長することができる。さらに、集塵部１３の圧力損失の増加を抑制できる。その結果、集塵部１３のメンテナンス間隔も延長可能となり、ユーザーの使い勝手を向上させることができる。
【００３９】
実施の形態１において、換気装置は、屋外側中間ダクト２及び屋内側中間ダクト３を１つずつ備えている。しかしながら、本発明における換気装置は、複数の屋外側中間ダクト２及び複数の屋内側中間ダクト３を備えてもよい。この場合、吸込口、吹出口及びダクトと本体１との接続箇所もそれぞれ複数存在する。これにより、例えば、換気装置の風量を大きくすることができる。
【００４０】
実施の形態１において、埃センサー１０及び湿度センサー１１は、吸込口形成部材６に取り付けられている。しかしながら、本発明における埃センサー１０及び湿度センサー１１は、屋外側中間ダクト２に取り付けられてもよい。埃センサー１０及び湿度センサー１１は、屋外から屋内に通じる空気の経路において、本体１の風上側に設置されていればよい。つまり、埃センサー１０及び湿度センサー１１は、屋外の空気に触れている状態であればよい。但し、埃センサー１０及び湿度センサー１１の設置位置は、屋外により近い箇所が望ましい。これらのセンサーの設置位置が屋外に近いほど、屋外の粉塵濃度及び水分量が迅速に検出されるため、制御部１６による荷電部１２の制御が迅速に行われる。
【００４１】
実施の形態１において、制御部１６は、屋外の粉塵濃度に基づいて荷電部１２を制御する。しかしながら、本発明における制御部１６は、粉塵個数、粉塵の大きさ及び粉塵の形状等に基づいて荷電部１２を制御してもよい。例えば、制御部１６は、粒子径２．５μｍ以下の粉塵が多い場合に、荷電部１２への電圧の印加を開始させてもよい。また、例えば、制御部１６は、粉塵が花粉、埃、綿ゴミ及びダニ等であると判定された場合に、荷電部１２への電圧の印加を停止させてもよい。これらの大きい粉塵は、荷電部１２に電圧が印加されていなくとも、集塵部１３に捕集される。この場合、屋内に取り入れる空気を清浄化しつつ、荷電部１２の放電電極１４の寿命を延長することができる。
【００４２】
実施の形態２．
図５は、実施の形態２における換気装置が備える集塵装置の概略断面図である。以下、実施の形態１との相違点を中心に換気装置の構成を説明する。実施の形態１と同一又は相当する部分には同一の符号を付して、一部の説明を省略する。
【００４３】
図５に示すように、実施の形態２における集塵装置８は、複数の荷電部１２を備えている。実施の形態２における集塵装置８は、第１荷電部１２ａ、第２荷電部１２ｂ及び第３荷電部１２ｃを備えている。第１荷電部１２ａ、第２荷電部１２ｂ及び第３荷電部１２ｃは、それぞれ独立した放電電極１４及び対向電極１５を備えている。第１荷電部１２ａは、屋外から屋内に通じる空気の経路において、集塵部１３の風上側に配置されている。第２荷電部１２ｂは、屋外から屋内に通じる空気の経路において、第１荷電部１２ａの風上側に配置されている。第３荷電部１２ｃは、屋外から屋内に通じる空気の経路において、第２荷電部１２ｂの風上側に配置されている。つまり、荷電部１２を通過する空気は、第３荷電部１２ｃ、第２荷電部１２ｂ、第１荷電部１２ａの順に通過する。
【００４４】
なお、図５には３つの荷電部１２が示されているが、荷電部１２の数は２つ又は４つ以上であってもよい。また、第１荷電部１２ａ、第２荷電部１２ｂ及び第３荷電部１２ｃの対向電極１５は、一体に形成されてもよい。
【００４５】
実施の形態２における制御部１６は、埃センサー１０により検出された屋外の粉塵濃度及び湿度センサー１１により検出された屋外の水分量に基づいて、第１荷電部１２ａ、第２荷電部１２ｂ及び第３荷電部１２ｃへの電圧の印加を開始又は停止させる。実施の形態２では、粉塵濃度の閾値として、例えば、第１閾値、第３閾値及び第４閾値が予め設定されている。第３閾値は、第１閾値よりも大きい。第４閾値は、第３閾値よりも大きい。
【００４６】
制御部１６は、例えば、屋外の粉塵濃度が第４閾値以上である場合は、第１荷電部１２ａ、第２荷電部１２ｂ及び第３荷電部１２ｃへの電圧の印加を開始させる。制御部１６は、例えば、屋外の粉塵濃度が第４閾値未満且つ第３閾値以上である場合は、第１荷電部１２ａ及び第２荷電部１２ｂへの電圧の印加を開始させ、第３荷電部１２ｃへの電圧の印加を停止させる。制御部１６は、例えば、屋外の粉塵濃度が第３閾値未満且つ第１閾値以上である場合は、第１荷電部１２ａへの電圧の印加を開始させ、第２荷電部１２ｂ及び第３荷電部１２ｃへの電圧の印加を停止させる。制御部１６は、例えば、屋外の粉塵濃度が第１閾値未満である場合は、第１荷電部１２ａ、第２荷電部１２ｂ及び第３荷電部１２ｃへの電圧の印加を停止させる。但し、制御部１６は、例えば、屋外の湿度が第２閾値以上である場合は、粉塵濃度に関係なく第１荷電部１２ａ、第２荷電部１２ｂ及び第３荷電部１２ｃへの電圧の印加を停止させる。
【００４７】
実施の形態２において、換気装置は、複数の荷電部１２を備えている。制御部１６は、屋外の空気中の粉塵濃度に基づいて、電圧を印加する荷電部１２の個数を変化させる。その結果、換気装置において、粉塵濃度に応じて必要な集塵効率を維持しつつ、荷電部１２による電力消費量を最適化することができる。また、荷電部１２への電圧の印加を少なく制御できるため、荷電部１２への汚れ付着及び腐食等を抑制できる。その結果、換気装置のメンテナンス間隔を延長することができる。さらに、集塵部１３の圧力損失の増加を抑制できる。その結果、集塵部１３のメンテナンス間隔も延長可能となり、ユーザーの使い勝手を向上させることができる。
【００４８】
実施の形態２において、制御部１６は、例えば、屋外の空気中の粉塵濃度が低くなるにつれて、より屋外に近い位置に設置された荷電部１２から順に電圧の印加を停止させる。つまり、電圧を印加される荷電部１２の個数が減らされる際は、屋外に存在する水分の影響をより受けにくい位置の荷電部１２が残される。このため、火花放電の発生を抑制できる。
【００４９】
実施の形態３．
図６は、実施の形態３における換気システムを示す概略平面図である。図６は、建物の複数の部屋のそれぞれに換気装置が設置された状態を示している。
【００５０】
図６に示すように、換気システムが適用される建物は、第１の部屋１７ａ、第２の部屋１７ｂ及び第３の部屋１７ｃを備えている。換気システムは、第１換気装置、第２換気装置及び第３換気装置を備えている。第１換気装置、第２換気装置及び第３換気装置の構成は、実施の形態１又は実施の形態２における換気装置と同様である。第１換気装置は、本体１ａを備えている。第２換気装置は、本体１ｂを備えている。第３換気装置は、本体１ｃを備えている。第１換気装置は、第１の部屋１７ａに設けられている。第２換気装置は、第２の部屋１７ｂに設けられている。第３換気装置は、第３の部屋１７ｃに設けられている。
【００５１】
換気システムの各換気装置の制御部１６は、実施の形態１又は実施の形態２と同様に、埃センサー１０及び湿度センサー１１の検出結果に基づいて、集塵装置８の動作を制御する。例えば、第１換気装置の制御部１６は、第１換気装置の埃センサー１０及び湿度センサー１１の検出結果に基づいて、第１換気装置の荷電部１２への電圧の印加を開始又は停止させる。さらに、各換気装置の制御部１６は、他の換気装置の埃センサー１０及び湿度センサー１１の検出結果に基づいて、荷電部１２への電圧の印加を開始又は停止させる。例えば、第１換気装置の制御部１６において、第１換気装置の埃センサー１０及び湿度センサー１１の検出結果に基づいて第１換気装置の荷電部１２への電圧の印加を停止させるように判定されると、第２換気装置及び第３換気装置の各制御部１６は、第２換気装置及び第３換気装置の各荷電部１２への電圧の印加を停止させる。つまり、複数の換気装置のうちいずれかにおいて荷電部１２への電圧の印加の有無が変更された場合、他の換気装置においても同様に荷電部１２が制御される。
【００５２】
換気システムは、荷電部１２への電圧の印加の開始動作よりも停止動作を優先してもよい。例えば、第１換気装置で荷電部１２への電圧の印加が開始されたとしても、ほぼ同時に第２換気装置で荷電部１２への電圧の印加が停止された場合は、第１換気装置及び第３換気装置でも荷電部１２への電圧の印加を停止させることとしてもよい。
【００５３】
実施の形態３における換気システムにおいて、第２換気装置及び第３換気装置の制御部１６は、第１換気装置の制御部１６が第１換気装置の荷電部１２への電圧の印加を開始又は停止させる際に、連動して第２換気装置及び第３換気装置の各荷電部１２への電圧の印加を開始または停止させる。このため、複数の換気装置が設けられた建物において、１つの換気装置の制御の予測に基づいて、他の換気装置の制御を実施することが可能となる。これにより、例えば、第１の部屋の付近で屋外の粉塵濃度及び水分量が変化した場合であっても、第２の部屋及び第３の部屋付近の粉塵濃度及び水分量が変化し始める前に、第２換気装置及び第３換気装置の各荷電部１２への電圧の印加の有無が変更される。その結果、例えば、屋外の粉塵濃度及び水分量に応じて、複数の換気装置が備える集塵装置８の動作をほぼ同時に制御することができる。
【産業上の利用可能性】
【００５４】
この発明に係る換気装置は、例えば、家庭のリビング、オフィス、店舗等に設置することができる。また、この発明に係る換気装置は、空気調和装置、空気清浄機及び送風機等に搭載することができる。
【符号の説明】
【００５５】
１，１ａ，１ｂ，１ｃ  本体、２  屋外側中間ダクト、３  屋内側中間ダクト、４  壁、５  天井、６  吸込口形成部材、７  吹出口形成部材、８  集塵装置、９  送風ファン、１０  埃センサー、１１  湿度センサー、１２  荷電部、１２ａ  第１荷電部、１２ｂ  第２荷電部、１２ｃ  第３荷電部、１３  集塵部、１４  放電電極、１５  対向電極、１６  制御部、１７ａ  第１の部屋、１７ｂ  第２の部屋、１７ｃ  第３の部屋
【図１】
0006380026.tif 000002
【図２】
0006380026.tif 000003
【図３】
0006380026.tif 000004
【図４】
0006380026.tif 000005
【図５】
0006380026.tif 000006
【図６】
0006380026.tif 000007